(57)【要約】【課題】作物の育成作業及び収穫作業を容易、且つ、その労力を軽減できるようにした作物育成方法を提供する。【解決手段】作物の収穫時の根長の長さＬｒより浅い深さＤ１で耕して、作物育成耕地を準備する工程と、作物育成耕地上に、少なくとも、一対の枠体２、２を所定の距離を隔てて対向配置し、一対の枠体２、２の間に仕切り板３を橋渡すように設けた、作物育成用具１を設ける工程と、作物育成用具１内に、作物育成用具１の領域外の耕地の土を収容することで、作物育成用具１の下方の耕地と作物育成用具内に収容した耕地の合計の深さＤ３を、作物の収穫時の根長と概ね同じ深さＬｒの耕地に形成する工程と、作物育成用具１の下方の耕地と作物育成用具１内に収容した耕地の合計の深さＤ３を、作物の収穫時の根長と概ね同じ深さＬｒに形成した作物育成用具１内に作物を植え付け、育成する工程とを備える。【選択図】図１
2004337010.tif 000002
【特許請求の範囲】
【請求項１】
作物を育成するための耕地を、前記作物の収穫時の根長の長さより浅い深さで耕して、作物育成耕地を準備する工程と、
前記作物育成耕地上に、少なくとも、一対の枠体を所定の距離を隔てて対向配置し、前記一対の枠体の間に仕切り板を橋渡すように設けた、作物育成用具を設ける工程と、
前記作物育成用具内に、前記作物育成用具の領域外の耕地の土を収容することで、前記作物育成用具の下方の耕地と前記作物育成用具内に収容した耕地の合計の深さを、前記作物の収穫時の根長と概ね同じ深さの耕地に形成する工程と、
前記作物育成用具の下方の耕地と前記作物育成用具内に収容した耕地の合計の深さを、前記作物の収穫時の根長と概ね同じ深さに形成した作物育成用具内に作物を植え付け、育成する工程と、
前記作物育成用具の下方の耕地と前記作物育成用具内に収容した耕地の合計の深さを、前記作物の収穫時の根長と概ね同じ深さに形成した作物育成用具内において育成された作物を収穫する際には、作物育成用具を構成する、所定の間隔を隔てて設けられている一対の枠体の間を橋渡すように設けられている仕切り板を取り外すことで、前記作物育成用具内の耕地と前記作物育成用具の下方の耕地とを取り除くことで、所定の根長になっている作物を収穫する工程とを備える、作物育成方法。
【請求項２】
作物を育成するための耕地を、前記作物の収穫時の根長の長さより浅い深さで耕して、作物育成耕地を準備する工程と、
前記作物育成耕地上に、少なくとも、一対の枠体を所定の距離を隔てて対向配置し、前記一対の枠体の間に仕切り板を橋渡すように設けた、作物育成用具を少なくとも２列になるように所定の距離を隔てて設ける工程と、
前記所定の間隔を隔てて設けられた少なくとも２列の作物育成用具の各々内に、前記所定の間隔を隔てて設けられた少なくとも２列の作物育成用具の間の耕地の土を収容することで、前記作物育成用具の下方の耕地と前記作物育成用具内に収容した耕地の合計の深さを、前記作物の収穫時の根長と概ね同じ深さの耕地に形成するとともに、前記所定の間隔を隔てて設けられた少なくとも２列の作物育成用枠体の間に集水用の溝を形成する工程と、
前記作物育成用具の下方の耕地と前記作物育成用具内に収容した耕地の合計の深さを、前記作物の収穫時の根長と概ね同じ深さに形成した少なくとも２列の作物育成用具内に作物を植え付け、育成する工程と、
前記作物育成用具の下方の耕地と前記作物育成用具内に収容した耕地の合計の深さを、前記作物の収穫時の根長と概ね同じ深さに形成した少なくとも２列の作物育成用具内において育成された作物を収穫する際には、各々の作物育成用具を構成する、所定の間隔を隔てて設けられている一対の枠体の間の仕切り板を取り外すことで、各々の作物育成用具内の耕地を取り除くとともに各々の作物育成用具の下方の耕地を取り除くことで、所定の根長になっている作物を収穫する工程とを備える、作物育成方法。
【請求項３】
前記作物育成用具を構成する対抗配置される一対の枠体の間隔が、７０ｃｍ以上２ｍ以下である、請求項１又は請求項２に記載の作物育成方法。
【請求項４】
前記作物育成用具を構成する対抗配置される一対の枠体の各々として、各々の外側の両端に概ね同じ大きさ・形状のリブ体を設けたものを使用し、
前記一対の枠体に、更に、別の一対の枠体を接続する際に、前記リブ体の幅を概ね２倍し、仕切り板の厚みを加えた幅を有し、平面視した場合、略コの字形状を有し、所定の高さを有する接続具を用意し、
連接する２枚の枠体の各々の連接される側の２つリブの間に仕切り板を挟み込んだ後、２枚の枠体の各々の連接される側の２つリブを挟み込むように、前記接続具で固定するようにした、請求項１〜３のいずれかに記載の作物育成方法。
【請求項５】
前記枠体の外側に設けられるリブ体の各々には、貫通孔が設けられ、
前記仕切り板には、前記リブ体に挟み込まれる場所に、貫通孔が設けられ、
前記接続具の対向する一対の側面の各々には、その側面に開口部を有し横方向に設けられたボルト誘導部と、前記ボルト誘導部に連続するように設けられ、その側面の中程位置で上方向に屈曲するようにボルト収容部を設けた略Ｌ字形状の貫通孔が設けられ、
前記一対の枠体に、更に、別の一対の枠体を接続する際に、前記リブ体の幅を概ね２倍し、仕切り板の厚みを加えた幅を有し、平面視した場合、略コの字形状を有し、所定の高さを有する接続具を用意し、
連接する２枚の枠体の各々の連接される側の２つリブの間に仕切り板を挟み込んだ後、２枚の枠体の各々の連接される側の２つリブを挟み込むように、前記接続具で固定する際に、
前記枠体の外側に設けられるリブ体の各々の貫通孔、前記一対のリブ体の間に挟み込まれる仕切り板に設けられている貫通孔、及び、前記接続具の対向配置される一対の側面の各々に設けられている略Ｌ字形状の貫通孔を概ね整列させた後、前記接続具の対向配置される一対の側面の一方の略Ｌ字形状の貫通孔のボルト誘導部の開口部の外方側から、ヘッドを有するボルトの先端を挿入し、接続具の対向配置される一対の側面の他方の略Ｌ字形状の貫通孔のボルト収容部にボルトの先端部を収容するようにした、請求項１〜３のいずれかに記載の作物育成方法。
【請求項６】
前記作物が根菜類である、請求項１〜５のいずれかに記載の作物育成方法。
【請求項７】
前記作物が長いもである、請求項１〜５のいずれかに記載の育成方法。
【請求項８】
２枚の枠体と、仕切り板とを備え、
前記２枚の枠体の各々は、その両端の外側にリブ体を有し、
２枚の枠体を所定の間隔を隔てて対向配置し、
前記対向配置した２枚の枠体に、更に、２枚の枠体を連接する際に、前記連接する２枚の枠体のリブ体の間に仕切り板を挟み込み、前記一対の枠体に、更に、別の一対の枠体を接続する際に、前記リブ体の幅を概ね２倍し、仕切り板の厚みを加えた幅を有し、平面視した場合、略コの字形状を有し、所定の高さを有する接続具とボルト手段とを用いるようにした、作物育成用具。
【発明の詳細な説明】
【０００１】
【発明の属する技術分野】
本発明は、作物育成方法及び作物育成用具に関し、特に、作物の育成作業及び収穫作業を容易且つその労力を軽減できるようにした作物育成方法及び作物育成用具に関する。
【０００２】
【従来の技術】
従来、長いも（自然薯）などの根長の長い根菜類を育成する際には、図５に示すように、土地（畑）を、そのような根菜類を収穫する際の根長の長さＬｒに概ね相当する深さＤｃまで耕して（Ｌｒ≒Ｄｃ）、そのようにして耕した耕地に、根菜類を植え、収穫する際には、根を途中で折らないように注意して、所定の長さに成長した根菜類を掘り起こす、といった作業が専ら行なわれている。
【０００３】
尚、本発明に興味ある先行技術文献としては、例えば、特開２０００−２０９９４０号公報には、傾斜地を利用した根菜類の栽培枠、及びこれを用いた栽培方法が提案されている。
【０００４】
【特許文献１】特開２０００−２０９９４０号公報  図１を参照。
【０００５】
また、本発明に興味ある他の先行技術文献としては、例えば、特開平８−１８７０３３号公報には、大型根菜類の栽培容器が提案されている。
【０００６】
【特許文献２】特開平８−１８７０３３号公報  図１を参照。
【０００７】
また、本発明に興味ある他の先行技術文献としては、例えば、特開平１１−１５１０３４号公報には、筒状の円錐型台形又は角錐型台形の容器に土を入れて地面に設置し、該容器内に根菜類を栽培し、収穫に際しては容器の下面を持ち上げることで土をほぐし、その状態で根菜類を途中で切断することなく、引き抜くようにした、根菜の栽培方法及び栽培容器が提案されている。
【０００８】
【特許文献３】特開平１１−１５１０３４号公報  図１を参照。
【０００９】
【発明が解決しようとする課題】
しかしながら、土地（畑）を、そのような根菜類を収穫する際の根長の長さに概ね相当する深さまで耕して、そのようにして耕した耕地に、根菜類を植え、収穫する際には、根を途中で折らないように注意して、所定の長さに成長した根菜類を掘り起こす、といった作業は、労力がかかる、という問題がある。
【００１０】
また、上記した特開２０００−２０９９４０号公報に開示の技術や、特開平８−１８７０３３号公報に開示の技術や、特開平１１−１５１０３４号公報に開示の技術も、育成に適した土を根菜類の根長の長さと概ね等しいかそれ以上の深さ分使用することを前提としている。
【００１１】
本発明は、以上のような問題を解決するためになされたものであって、根菜類を収穫する際の根長まで耕す必要がなく、収穫する際には、根を途中で折るようなことが無い、作物育成方法及び作物育成用具、及び、工具フリーで育成・収穫作業ができる、作物育成方法及び作物育成用具を提供することを目的としている。
【００１２】
【課題を解決するための手段】
請求項１に記載の作物育成方法は、作物を育成するための耕地を、作物の収穫時の根長の長さより浅い深さで耕して、作物育成耕地を準備する工程と、作物育成耕地上に、少なくとも、一対の枠体を所定の距離を隔てて対向配置し、一対の枠体の間に仕切り板を橋渡すように設けた、作物育成用具を設ける工程と、作物育成用具内に、作物育成用具の領域外の耕地の土を収容することで、作物育成用具の下方の耕地と前記作物育成用具内に収容した耕地の合計の深さを、前記作物の収穫時の根長と概ね同じ深さの耕地に形成する工程と、作物育成用具の下方の耕地と作物育成用具内に収容した耕地の合計の深さを、作物の収穫時の根長と概ね同じ深さに形成した作物育成用具内に作物を植え付け、育成する工程と、作物育成用具の下方の耕地と作物育成用具内に収容した耕地の合計の深さを、作物の収穫時の根長と概ね同じ深さに形成した作物育成用具内において育成された作物を収穫する際には、作物育成用具を構成する、所定の間隔を隔てて設けられている一対の枠体の間を橋渡すように設けられている仕切り板を取り外すことで、作物育成用具内の耕地と作物育成用具の下方の耕地とを取り除くことで、所定の根長になっている作物を収穫する工程とを備える。
【００１３】
この作物育成方法では、土地（畑）を、作物を収穫する際の根長の深さまで耕す必要が無いので、作物を育成する際の土地を耕すという労力を軽減することができる。
【００１４】
且つ、作物を収穫する際には、仕切り板を外して、作物育成用具内の耕地を崩しながら、作物を収穫することで、作物の根を折ることなく、作物を収穫することができる。
【００１５】
請求項２に記載の作物育成方法は、作物を育成するための耕地を、作物の収穫時の根長の長さより浅い深さで耕して、作物育成耕地を準備する工程と、作物育成耕地上に、少なくとも、一対の枠体を所定の距離を隔てて対向配置し、一対の枠体の間に仕切り板を橋渡すように設けた、作物育成用具を少なくとも２列になるように所定の距離を隔てて設ける工程と、所定の間隔を隔てて設けられた少なくとも２列の作物育成用具の各々内に、所定の間隔を隔てて設けられた少なくとも２列の作物育成用枠体の間の耕地の土を収容することで、作物育成用具の下方の耕地と前記作物育成用具内に収容した耕地の合計の深さを、作物の収穫時の根長と概ね同じ深さの耕地に形成するとともに、所定の間隔を隔て設けられた少なくとも２列の作物育成用枠体の間に集水用の溝を形成する工程と、作物育成用具の下方の耕地と作物育成用具内に収容した耕地の合計の深さを、作物の収穫時の根長と概ね同じ深さに形成した少なくとも２列の作物育成用具内において育成された作物を収穫する際には、各々の作物育成用具を構成する、所定の間隔を隔てて設けられている一対の枠体の間の仕切り板を取り外すことで、各々の作物育成用具内の耕地を取り除くとともに各々の作物育成用具の下方の耕地を取り除くことで、所定の根長になっている作物を収穫する工程とを備える。
【００１６】
この作物育成方法では、土地（畑）を、作物を収穫する際の根長の深さまで耕す必要が無いので、作物を育成する際の土地を耕すという労力を軽減することができる。
【００１７】
且つ、作物を収穫する際には、仕切り板を外して、作物育成用具内の耕地を崩しながら、作物を収穫することで、作物の根を折ることなく、作物を収穫することができる。
【００１８】
更に、集水用の溝が形成されるので、作物を育成する途中において、水による根腐れを防ぐことができる。
【００１９】
請求項３に記載の作物育成方法は、請求項１又は請求項２に記載の作物育成方法の、作物育成用具を構成する対抗配置される一対の枠体の間隔が、７０ｃｍ以上２ｍ以下である。
【００２０】
この作物育成方法では、対抗配置される一対の枠体の間隔を、作業者（成人）の約肩幅以上約両手サイズ以下、より特定的に説明すると、７０ｃｍ以上２ｍ以下にしているので、作物を収穫する際には、仕切り板を外して、作物育成用具内の耕地を崩しながら、作物を収穫する際に、作業者は、枠体の長さ方向に移動すれば良く、枠体の間隔方向、即ち、横方向への移動をする必要が無い。
【００２１】
これにより、作物の収穫作業を著しく軽減できる。
【００２２】
請求項４に記載の作物育成方法は、請求項１〜３のいずれかに記載の作物育成方法の、作物育成用具を構成する対抗配置される一対の枠体の各々として、各々の外側の両端に概ね同じ大きさ・形状のリブ体を設けたものを使用し、一対の枠体に、更に、別の一対の枠体を接続する際に、リブ体の幅を概ね２倍し、仕切り板の厚みを加えた幅を有し、平面視した場合、略コの字形状を有し、所定の高さを有する接続具を用意し、連接する２枚の枠体の各々の連接される側の２つリブの間に仕切り板を挟み込んだ後、２枚の枠体の各々の連接される側の２つリブを挟み込むように、接続具で固定するようにした。
【００２３】
この作物育成方法では、枠体と枠体との接続を、枠体に設けたリブ、仕切り板及び接続具の協働により達成しているので、ボルト及びナットを用いた場合には、必要となる、スパナ等の工具が不要となる。
【００２４】
即ち、この作物育成方法では、枠体と枠体との接続及び分解を、工具フリーで行なえる。
【００２５】
請求項５に記載の作物育成方法は、請求項１〜４のいずれかに記載の作物育成方法の、枠体の外側に設けられるリブ体の各々には、貫通孔が設けられ、仕切り板には、リブ体に挟み込まれる場所に、貫通孔が設けられ、接続具の対向する一対の側面の各々には、その側面に開口部を有し、横方向に伸びるボルト誘導部と、ボルト誘導部に連続するように設けられ、その側面の中程位置で上方向に屈曲するようにボルト収容部を設けた略Ｌ字形状の貫通孔が設けられ、一対の枠体に、更に、別の一対の枠体を接続する際に、リブ体の幅を概ね２倍し、仕切り板の厚みを加えた幅を有し、平面視した場合、略コの字形状を有し、所定の高さを有する接続具を用意し、連接する２枚の枠体の各々の連接される側の２つリブの間に仕切り板を挟み込んだ後、２枚の枠体の各々の連接される側の２つリブを挟み込むように、接続具で固定する際に、枠体の外側に設けられるリブ体の各々の貫通孔、一対のリブ体の間に挟み込まれる仕切り板に設けられている貫通孔、及び、接続具の対向配置される一対の側面の各々に設けられている略Ｌ字形状の貫通孔を概ね整列させた後、接続具の対向配置される一対の側面の一方の略Ｌ字形状の貫通孔のボルト誘導部の開口部の外方側から、ヘッドを有するボルトの先端を挿入し、接続具の対向配置される一対の側面の他方の略Ｌ字形状の貫通孔のボルト収容部にボルトの先端部を収容するようにした。
【００２６】
この作物育成方法では、枠体と枠体とをボルトとナットとの接続で行なう必要が無いので、枠体と枠体との接続工具フリーで行なえる。
【００２７】
請求項６に記載の作物育成方法は、請求項１〜５のいずれかに記載の作物育成方法の、作物が根菜類である。
【００２８】
この作物育成方法は、作物の育成・収穫作業を軽減でき、且つ、収穫する際に、根を折るようなことが無いので、特に、根長が長いと商品価値が上がる根菜類の育成方法として適している。
【００２９】
請求項７に記載の作物育成方法は、請求項１〜５のいずれかに記載の育成方法の、作物が長いもである。
【００３０】
ここに、本明細書で用いる用語、「長いも」は、ヤマイモ、ヤマノイモ、自然薯等が含まれる。
【００３１】
この作物育成方法は、作物の育成・収穫作業を軽減でき、且つ、収穫する際に、根を折るようなことが無いので、特に、根長が長いと商品価値が上がる長いも（自然薯）の育成方法として適している。
【００３２】
請求項８に記載の作物育成用具は、２枚の枠体と、仕切り板とを備え、２枚の枠体の各々は、その両端の外側にリブ体を有し、２枚の枠体を所定の間隔を隔てて対向配置し、対向配置した２枚の枠体に、更に、２枚の枠体を連接する際に、連接する２枚の枠体のリブ体の間に仕切り板を挟み込み、一対の枠体に、更に、別の一対の枠体を接続する際に、リブ体の幅を概ね２倍し、仕切り板の厚みを加えた幅を有し、平面視した場合、略コの字形状を有し、所定の高さを有する接続具とボルト手段とを用いるようにした。
【００３３】
この作物育成用具を用いれば、請求項１〜７のいずれかに記載の作物育成方法を実現できる。
【００３４】
【発明の実施の形態】
以下、図面を参照しながら、本発明に係る作物育成方法及び作物育成用具について、更に、詳しく説明する。
【００３５】
図１は、本発明に係る作物育成方法の一例を模式的に説明する説明図である。
【００３６】
この作物の育成方法では、まず、図１に示すように、土地（畑）を、収穫する作物（例えば、長いも（自然薯）、大根、人参、ごぼうその他の根菜類）の収穫時の根長の長さＬｒよりも浅い深さＤ１で耕して耕地とする。
【００３７】
次に、収穫する作物（例えば、長いも（自然薯）、大根、人参、ごぼうその他の根菜類）の収穫時の根長の長さＬｒよりも浅い深さＤ１で耕した耕地上に、作物育成用具１を載置する。
【００３８】
より詳しく説明すると、収穫する作物（例えば、長いも（自然薯）、大根、人参、ごぼうその他の根菜類）の収穫時の根長の長さＬｒよりも浅い深さＤ１で耕して耕地上に、所定の間隔Ｗ１を隔てるようにして一対の枠体２、２を対向配置する。
【００３９】
対向配置する枠体２と枠体２との間の間隔は、特に限定されることはないが、作業者が、作物を収穫する際に、間隔Ｗ１方向に横歩きするような疲れる動作の必要が無い範囲、即ち７０ｃｍ以上２ｍ以下の範囲に対向配置する。
【００４０】
次に、必要により、一対の枠体２、２の各々の間に橋渡すように仕切り板３を設ける。
【００４１】
必要により、枠体２、仕切り板３、枠体２の順に接続していく。
【００４２】
尚、両端に位置する、一対の枠体２、２の端の間にも、仕切り板３を設ける。
【００４３】
次に、枠体１、仕切り板３、枠体１及び仕切り板３で構成される作物育成用具１、１内に、作物育成用具１の領域外の耕地の土を収容することで、作物育成用具１の下方の耕地の深さＤ１と作物育成用具１内に収容した耕地の深さＤ２の合計の深さＤ１＋Ｄ２を、作物の収穫時の根長Ｌｒと概ね同じ深さの耕地に形成する（Ｄ１＋Ｄ２≒Ｌｒ）。
ここで、例えば、収穫時の作物（例えば、やまのいも）の根長を約９０ｃｍ〜約１２０ｃｍとした場合、耕地の深さＤ１は、作業が楽な深さ、例えば、約３０ｃｍとし、深さＤ１（この例では、３０ｃｍ）分を耕した土地の上に、作物育成用具１を置き、作物育成用具１内に、作物育成用具１の領域外の耕地の土を収容することで、作物育成用具１の下方の耕地の深さＤ１と作物育成用具１内に収容した耕地の深さＤ２の合計の深さＤ１＋Ｄ２を、作物の収穫時の根長Ｌｒと概ね同じ深さの耕地に形成する（Ｄ１＋Ｄ２≒Ｌｒ≒約９０ｃｍ以上約１２０ｃｍ以下）。
【００４４】
尚、この例では、作物育成用具１の列を所定の間隔Ｗ２を隔てるようにして２列設け、２列に設けた作物育成用具１、１の各々内に、作物育成用具１、１の間の耕地を収容することで、２列に設けた作物育成用具１、１の各々内に収容した耕地の深さＤ１と作物育成用具１内に収容した耕地の深さＤ２の合計の深さＤ３（Ｄ３≒Ｄ１＋Ｄ２）を、作物の収穫時の根長Ｌｒと概ね同じ深さの耕地に形成する（Ｄ３≒Ｄ１＋Ｄ２≒Ｌｒ）と同時に、２列に設けた作物育成用具１、１の間に集水用の溝４を形成している。
【００４５】
尚、この溝は、深さＤ１まで耕した耕地を掘り下げることにより形成される。
例えば、作物育成用具１の枠体２として、高さが、約９０ｃｍのものを用いた場合、枠体２と枠体２との間の間隔Ｗ１を約９０ｃｍとし、作物育成用具１の列を所定の間隔Ｗ２を約３００ｃｍ位隔てて設け、深さが約３０ｃｍの溝４を、溝４の幅が約２００ｃｍ程度となるようにするなどする。
【００４６】
作物育成用具１の下方の耕地と作物育成用具１内に収容した耕地の合計の深さＤ３（Ｄ３≒Ｄ１＋Ｄ２）を、作物の収穫時の根長Ｌｒと概ね同じ深さ（Ｄ１＋Ｄ２≒Ｌｒ）に形成した作物育成用具１内に作物を植え付け、育成する。
【００４７】
次に、収穫時期が来たら、作物育成用具１の下方の耕地と作物育成用具１内に収容した耕地の合計の深さＤ３（Ｄ３≒Ｄ１＋Ｄ２）を、作物の収穫時の根長Ｌｒと概ね同じ深さＤ３（Ｄ３≒Ｄ１＋Ｄ２≒Ｌｒ）に形成した作物育成用具１内において育成された作物を収穫する。
【００４８】
この際には、作物育成用具１を構成する、所定の間隔Ｗ１を隔てて設けられている一対の枠体１、１の間を橋渡すように設けられている仕切り板３を取り外すことで、作物育成用具１内の耕地と作物育成用具１の下方の耕地とを取り除くことで、所定の根長になっている作物を収穫する。
【００４９】
次に、作物育成用具１の構成を更に詳しく説明する。
【００５０】
図２は、作物育成用具１の構成を概略的に示す斜視図であり、図３は、作物育成用具１の構成を概略的に示す分解斜視図である。
【００５１】
枠体２には、その外側に、リブＲ１、Ｒ２が設けられている。
【００５２】
枠体２の外側に設けられているリブＲ１、Ｒ１及びリブＲ２、Ｒ２は、枠体２の補強部材になっている。
【００５３】
また、リブＲ１・・・の各々は、いずれも同じ厚みにされており、ボルトｖを挿通する貫通孔ｈ４が設けられている。
【００５４】
仕切り板３は、その高さＨ３は、枠体２の高さＨ２と等しいか概ね等しい高さにされている。
【００５５】
また、仕切り板３は、その幅Ｗ３が、一対の枠体２の間隔Ｗ１と、一対の枠体２、２の一方の厚みＷ２と、一対の枠体２、２の他方の厚みＷ２と、一対の枠体２、２の一方の枠体の外側に設けられているリブＲ１の厚みＷＲ１と、一対の枠体２、２の他方の枠体の外側に設けられているリブＲ１の厚みＷＲ１とを合計した幅に等しいか概ね等しくされている。
【００５６】
また、仕切り板３は、ボルトｖを挿通する貫通孔ｈ３・・・を備える。
【００５７】
貫通孔ｈ３・・・は、仕切り板３の、作物育成用具１に別の作成育成用具１を接続する際に、作物育成用具１を構成する一対の枠体２、２の一方と、別の作成育成用具１の一対の枠体２、２の一方との間、及び、作物育成用具１を構成する一対の枠体２、２の他方と、別の作成育成用具１の一対の枠体２、２の他方との間に挟み込まれる際に、作物育成用具１を構成する一対の枠体２、２の一方の枠体２の外側に設けられているリブＲ１と、別の作成育成用具１の一対の枠体２、２の一方の枠体２の外側に設けられているリブＲ１との間に挟み込まれる領域と、作物育成用具１を構成する一対の枠体２、２の他方の枠体２の外側に設けられているリブＲ１と、別の作成育成用具１の一対の枠体２、２の他方の枠体２の外側に設けられているリブＲ１との間に挟み込まれる領域との各々には、各々の枠体のリブＲ１に設けた貫通孔ｈ４、ｈ４に整列する位置に設けられる。
【００５８】
尚、図２及び図３の各々中、５で示す部材は、作物育成用具１の終端に設けられる仕切り板を示している。
【００５９】
仕切り板５は、仕切り板３の両側面の各々に、枠体２に設けられているリブＲ１と概ね同じ大きさ・形状のリブＲ１、Ｒ１と、上辺及び下辺の各々に補強用のリブＲ３、Ｒ３とを備える。
【００６０】
次に、作物育成用具１に別の作物育成用具１を接続する方法を説明する。
【００６１】
作物育成用具１に別の作物育成用具１を接続する際には、ボルトｖ・・・と接続具Ｃ・・・とを用いる。
【００６２】
図４は、図２中、ＩＶで示す部分を拡大して概略的に示す部分拡大斜視図であり、図４（ａ）は、接続具Ｃとボルトｖとを用いて、２枚の枠体２、２を接続しつつある状態又は２枚の枠体２、２の接続を解除しつつある状態を、また、図４（ｂ）は、２枚の枠体２、２を、接続具Ｃとボルトｖとを用いて、接続した状態を示している。
【００６３】
接続具Ｃは、リブ体Ｒ１の幅ＷＲ１を概ね２倍（２×ＷＲ１）し、仕切り板３の厚みＴ３を加えた幅Ｄｃ（Ｄｃ＝２×ＷＲ１＋Ｔ３）を有し、平面視した場合、略コの字形状を有し、所定の高さＨｃを有する。
【００６４】
接続具Ｃの対向する一対の側面Ｓｃ、Ｓｃの各々には、その側面に開口部ｐｏを有する横方向へのボルト誘導部ｈｃ１と、このボルト誘導部ｈｃ１に連続するように設けられ、その側面Ｓｃの中程位置で上方向に屈曲するようにボルト収容部ｈｃ２とを備える、略Ｌ字形状の貫通孔ｈｃが設けられている。
【００６５】
作物育成用具１に別の作物育成用具１を接続する際には、ボルトｖ・・・と接続具Ｃ・・・とを用い、連接する２枚の枠体２、２の各々の連接される側の２つリブＲ１、Ｒ１の間に仕切り板３を挟み込む。
【００６６】
その後、２枚の枠体２、２の各々の連接される側の２つリブＲ１、Ｒ１を挟み込むように、接続具Ｃで固定する。
【００６７】
その際に、枠体２、２の外側に設けられるリブ体Ｒ１、Ｒ１の各々の貫通孔ｈ４・・・、一対のリブ体Ｒ１、Ｒ１の間に挟み込まれる仕切り板３に設けられている貫通孔ｈ３・・・、接続具Ｃの対向配置される一対の側面Ｓｃ、Ｓｃの各々に設けられている略Ｌ字形状の貫通孔ｈｃを概ね整列させた後、整列させた貫通孔ｈ４・・・の各々及び貫通孔ｈ３・・・の各々にボルトｖを挿入し、接続具Ｃの対向配置される一対の側面Ｓｃ、Ｓｃの一方Ｓｃの略Ｌ字形状の貫通孔ｈｃのボルト誘導部ｈｃ１の開口部ｐｏの外方側から、ヘッドｖｈを有するボルトｖの先端を挿入し（図４（ａ）を参照）、接続具Ｃの対向配置される一対の側面Ｓｃ、Ｓｃの他方Ｓｃの略Ｌ字形状の貫通孔ｈｃのボルト収容部ｈｃ２にボルトｖの先端部を収容するようにして、作物育成用具１に別の作物育成用具１を接続する（図４（ｂ）を参照）。
【００６８】
これとは逆に、作物を収穫する際等において、接続されている、作物育成用具１、１を分離又は分解する際には、接続具Ｃの対向配置される一対の側面Ｓｃ、Ｓｃの他方Ｓｃの略Ｌ字形状の貫通孔ｈｃのボルト収容部ｈｃ２にボルトｖ（図４（ｂ）を参照）を、接続具Ｃを上方向に移動させることで、ボルト誘導部ｈｃ１へ誘導し、その後、接続具Ｃを枠体２、２の外方に引き抜き、整列させた貫通孔ｈ４・・・の各々及び貫通孔ｈ３・・・の各々からボルトｖ・・・を引き抜くことで、枠体２と枠体２とを順次分離していく（図４（ａ）を参照）。
【００６９】
以上、説明したように、この作物育成方法では、土地（畑）を、作物を収穫する際の根長の深さＬｒまで耕す必要が無いので、作物を育成する際の土地を耕すという労力を軽減することができる。
【００７０】
且つ、作物を収穫する際には、仕切り板３を外して、作物育成用具１・・・の各々内の耕地を崩しながら、作物を収穫することで、作物の根を折ることなく、作物を収穫することができる。
【００７１】
即ち、この作物育成方法は、作物の育成・収穫作業を軽減でき、且つ、収穫する際に、根を折るようなことが無いので、特に、根長が長いと商品価値が上がる根菜類、例えば、ヤマイモ、ヤマノイモ、自然薯等と称される長いもの育成方法として適している。
【００７２】
更に、この作物育成方法では、集水用の溝４が形成されるので、作物を育成する途中において、水による根腐れを防ぐことができる。
【００７３】
また、この作物育成方法では、対抗配置される一対の枠体２、２の間隔を、７０ｃｍ以上２ｍ以下にしているので、作物を収穫する際には、仕切り板３・・・を外して、作物育成用具１・・・内の耕地を崩しながら、作物を収穫する際に、作業者は、枠体２の長さ方向に移動すれば良く、枠体２の間隔Ｗ１方向、即ち、横方向への移動をする必要が無い。
【００７４】
これにより、作物の収穫作業を著しく軽減できる。
【００７５】
また、この作物育成方法では、枠体２と枠体２とを接続を、枠体２・・・に設けたリブＲ１・・・、仕切り板３・・・及び接続具Ｃの協働により達成しているので、ボルト及びナットを用いた場合には、必要となる、スパナ等の工具が不要となる。
【００７６】
即ち、この作物育成方法では、枠体２と枠体２との接続及び分解を、工具フリーで行なえる。
【００７７】
尚、上記の発明の実施の形態において説明した、作物育成方法及び作物育成用具は、単に、本発明を説明するために用いるものであって、本発明は、おいて説明した、作物育成方法及び作物育成用具には、何等、限定されないことを付記しておく。
【００７８】
また、図１では、作物育成用具１内に、その枠体２方向に、１列に、作物を植えて育成している様子を示しているがこれは、単なる例示であって、作物育成用具１内に、その枠体２方向に、２列以上に、作物を植えて育成するようにしてもよいことは言うまでもない。
【００７９】
また、上記の発明の実施の形態においては、作物育成用具１を連接して使用する場合を例にして説明したが、一対の仕切り板５、５、一対の仕切り板３、３及び一対の枠体２、２を備える作物育成用具１を１個のみ使用した場合も、本発明に含まれることも、言うまでもない。
【００８０】
【発明の効果】
以上、詳細に説明したとおり、請求項１に記載の作物育成方法では、土地（畑）を、作物を収穫する際の根長の深さまで耕す必要が無いので、作物を育成する際の土地を耕すという労力を軽減することができる。且つ、作物を収穫する際には、仕切り板を外して、作物育成用具内の耕地を崩しながら、作物を収穫することで、作物の根を折ることなく、作物を収穫することができる。
【００８１】
また、請求項２に記載の作物育成方法は、請求項１に記載の作物育成方法と同様の効果を奏するとともに、集水用の溝が形成されるので、作物を育成する途中において、水による根腐れを防ぐことができる、という効果がある。
【００８２】
また、請求項３に記載の作物育成方法では、対抗配置される一対の枠体の間隔を、７０ｃｍ以上２ｍ以下にしているので、作物を収穫する際には、仕切り板を外して、作物育成用具内の耕地を崩しながら、作物を収穫する際に、作業者は、枠体の長さ方向に移動すれば良く、枠体の間隔方向、即ち、横方向への移動をする必要が無い。
【００８３】
これにより、作物の収穫作業を著しく軽減できる。
【００８４】
また、請求項４又は請求項５に記載の作物育成方法では、枠体と枠体との接続を、枠体に設けたリブ、仕切り板及び接続具の協働により達成しているので、ボルト及びナットを用いた場合には、必要となる、スパナ等の工具が不要となる。
【００８５】
即ち、この作物育成方法では、枠体と枠体との接続及び分解を、工具フリーで行なえる。
【００８６】
また、請求項６に記載の作物育成方法は、作物の育成・収穫作業を軽減でき、且つ、収穫する際に、根を折るようなことが無いので、特に、根長が長いと商品価値が上がる根菜類の育成方法として適している。
【００８７】
また、請求項７に記載の作物育成方法は、作物の育成・収穫作業を軽減でき、且つ、収穫する際に、根を折るようなことが無いので、特に、根長が長いと商品価値が上がる長いも（自然薯）の育成方法として適している。
【００８８】
また、請求項８に記載の作物育成用具を用いれば、請求項１〜６のいずれかに記載の作物育成方法を実現できる。
【図面の簡単な説明】
【図１】本発明に係る作物育成方法の一例を模式的に説明する説明図である。
【図２】図１に示す作物育成用具の構成を概略的に示す斜視図である。
【図３】図１に示す作物育成用具の構成を概略的に示す分解斜視図である。
【図４】図２中、ＩＶで示す部分を拡大して概略的に示す部分拡大斜視図であり、図４（ａ）は、接続具Ｃとボルトｖとを用いて、２枚の枠体２、２を接続しつつある状態又は２枚の枠体２、２の接続を解除しつつある状態を、また、図４（ｂ）は、２枚の枠体２、２を、接続具Ｃとボルトｖとを用いて、接続した状態を示している。
【図５】従来の作物育成方法の一例を模式的に説明する説明図である。
【符号の説明】
１  作物育成用具
２  枠体
３、５  仕切り板
４  溝
Ｒ１  リブ
Ｃ  接続具
ｖ  ボルト
【図１】
2004337010.tif 000003
【図２】
2004337010.tif 000004
【図３】
2004337010.tif 000005
【図４】
2004337010.tif 000006
【図５】
2004337010.tif 000007